(57)【特許請求の範囲】
【請求項１】
基部（１４）と、基部（１４）から延びるカテーテル出口（１６）と、基部（１４）に回転可能に取り付けられた回転の可能なカテーテルドラム（２０）とを有し、カテーテル（１０）は前記回転の可能なカテーテルドラム（２０）に取り付けられ、前記カテーテルドラム（２０）が、前記基部（１４）に対する前記カテーテルドラム（２０）の回転により、前記カテーテル（１０）が前記カテーテル出口（１６）を通って糸を通すように移動するように構成された、カテーテルディスペンサ（１２）と、
前記カテーテル出口（１６）と同軸で整列する前記カテーテルディスペンサ（１２）の入口開口部（２４）とを有し、
前記カテーテルディスペンサ（１２）は、前記入口開口部（２４）から前記カテーテル出口（１６）まで延び、前記カテーテルドラム（２０）に正接状態で延びる通路（２６）を画定し、
近位端部分（３８）と遠位端部分（３４）と、前記近位端部分（３８）のハブ（３６）と、前記遠位端部分（３４）に取り付けられた患者の静脈に挿入するための鋭い先端（３２）を有する針（３０）であって、前記針（３０）が前記通路（２６）を通って滑動するように構成され、したがって前記鋭い先端（３２）が前記カテーテル出口（１６）より先に延びる針（３０）と、
前記針（３０）の前記遠位部分（３４）の部分を実質的に同心円状に囲むように構成された可撓性誘導カテーテル部材（５４）であって、前記ドラム（２０）カテーテルが前記カテーテル出口（１６）を通って前記カテーテル（１０）を進むときに前記可撓性誘導カテーテル部材（５４）は前記カテーテル（１０）の一部分を実質的に同心円状に囲むように構成され、前記可撓性誘導カテーテル部材（５４）の一部分は前記カテーテル出口（１６）を超えて供給される可撓性誘導カテーテル部材（５４）と、を有する、カテーテル挿入装置であって、
一方弁（６４）が前記可撓性誘導カテーテル部材（５４）内に配置され、前記一方弁（６４）は、前記針（３０）と前記カテーテル（１０）がそこから引き出されたときに前記可撓性誘導カテーテル部材（５４）を通る流体の逆流を最小限に抑えるように構成され、
前記可撓性誘導カテーテル部材（５４）は更に、その近位端に固定されたソケット（５８）と一方弁（６４）を受けるためのソケット（５８）を通る軸方向の孔（６０）を有し、前記一方弁（６４）の外径（８４）は前記ソケット（５８）の前記孔（６０）と締まり嵌めし、
前記一方弁（６４）はダックビル弁であり、針（３０）を受けるよう構成され且つドラムカテーテル（１０）を受けるように構成された、おおむね内径の内面（９０）を有し、
前記ダックビル一方弁（６４）の前記内面（９０）が、その一体部分として、前記おおむね内径から内側に半径方向に突き出したドラムカテーテル（１０）の周囲を密封する外周環状ワイパ（９２）を有する、ことを特徴とするカテーテル挿入装置。
【請求項２】
前記カテーテル出口（１６）が、可撓性誘導カテーテル部材（５４）のソケット（５８）を係合するために、前記基部（１４）から正接方向に延びる開放可能な管状部材と、前記開放可能管状部材の通路（２６）と同軸状に延びる中空の空洞（６６）とを含む、請求の範囲第１項に記載の装置。
【請求項３】
前記開放可能管状部材が、互いに蝶番式に接続され、したがって前記蝶番部分が弾性開放して、前記中空空洞（６６）内の可撓性誘導カテーテル部材（５４）の前記ソケット（５８）を囲む状態で係合する上部分（７０）と下部分（７２）を含む、請求の範囲第２項に記載の装置。
【請求項４】
前記一方弁（６４）が、シリコンエラストマ材料から形成された逆流弁である、請求の範囲第３項に記載の装置。
【請求項５】
さらに、前記ドラム（２０）の外周に平行に湾曲した一体成形の第１端部（７８）と、湾曲した第１端部から正接方向に延びる第２端部とを有する前記カテーテル基部内の通路（７６）を備え、前記通路（７６）が、前記ドラムカテーテル（１０）を誘導して前記ドラム（２０）から出し、糸を通すように流体流一方弁（６４）を通って前記カテーテル出口内の可撓性誘導カテーテル部材（５４）に入れるよう構成された、請求の範囲第４項に記載の装置。
【請求項６】
さらに、前記針（３０）を前記カテーテルディスペンサ（１２）から容易に滑動除去できるように、前記針（３０）の前記ハブ（３６）と解除可能な状態で係合する手段を前記入口開口部（２４）に含む、請求の範囲第５項に記載の装置。
【請求項７】
前記解除可能係合手段が、細長い針（３０）と平行に軸方向に延びて、弾性フランジ（４６）の垂直方向に延びる留め具部分（４４）を有するその弾性フランジ（４６）を含み、針（３０）のハブ（３６）と弾性フランジ（４６）上の反対方向に延びるレバー部分（４８）とを係合させ、弾性フランジを屈曲させてハブ（３６）から留め具部分（４４）を解除する、請求の範囲第６項に記載の装置。
【発明の詳細な説明】
発明の分野
本発明は、一般的には患者の静脈中にカテーテルを挿入するのに使用する挿入装置に関し、特にはカテーテルの無菌状態を維持し、静脈穿刺処置による血液の漏れを最小限に抑えながら、患者の静脈中に長い可撓性カテーテルを供給し、前進させるための挿入装置に関する。
発明の背景
静脈液投与などの多くの医療処置では、患者の血液系との連絡が必要である。通常は、静脈に到達するために、鋭い先端を有する剛性針のような切開要素を使用する必要がある。しかし、鋭い先端によって損傷を与える可能性があるので、鋭い針を静脈中の所定の位置に長時間残すことは望ましくない。したがって、剛性の針と同時に、静脈にプラスチックカテーテルのような可撓性導管を挿入することが多い。可撓性プラスチックカテーテルは、剛性の針の上（またはその中）に同心円状に配置されるので、針を引き抜き、可撓性カテーテルのみを静脈中に留置すことができる。Ａｂｂｏｔｔ  Ｌａｂｏｒａｔｏｒｉｅｓが製造販売しているＡｂｂｏｃａｔｈ▲Ｒ▼カテーテルは、引き抜くことができる剛性の針の上に可撓性カテーテルを有する留置静脈カテーテルの一例である。たとえばＡｂｂｏｃａｔｈ−Ｔ▲Ｒ▼カテーテルは、静脈穿刺に広く使用されている。
中心静脈監視またはカテーテル法に適した可撓性カテーテルなど、比較的長いカテーテルの導入には、さらに複雑な問題がある。このような長い可撓性カテーテルは、通常、回転可能なドラムカートリッジにコンパクトに保存され、そこから分配（ディスペンス）する。長いカテーテルは汚染しやすく、また静脈中を前進させるのが困難だからである。このようなドラムカートリッジ装置の例が、「カテーテル配置ユニット」と題した米国特許第３，５６１，４４５号に記載されている。ドラムに保存された長い可撓性カテーテルは、カテーテルを露出させずに、金属針（ニードル）を通して（スルー）挿入する。しかし、カテーテルスルーニードル装置を使用する場合には、カテーテルを不注意で針から引き抜くと、針の鋭い尾部でカテーテルを切断したり、それに穴をあけてしまう可能性があるという懸念がある。
あるいは、長いカテーテルを、金属針ではなく可撓性誘導カテーテルを通して、ドラムカートリッジから挿入することができる。可撓性誘導カテーテルの内部に同心円状に配置された剛性の針を使用して、可撓性誘導カテーテルを刺入する。次に、剛性針を取り出し、可撓性誘導カテーテルのみを患者内に留置しておく。カテーテルスルーカテーテル（つまり可撓性誘導子）装置の例が、「カテーテル挿入装置」と題した米国特許第４，３４２，３１３号に記載され、その開示を、参照により本明細書に組み込む。
ここで、本明細書の図面の第１図を参照すると、米国特許第４，３４２，３１３号によるドラムカートリッジカテーテルスルーカテーテル分与挿入装置１３が図示されている。装置は、管状の針筐体２５から反対側の管状カテーテル出口１７まで、カテーテルディスペンサを通して配置される細長い針３１を含む。可撓性誘導カテーテル５５は、針３１の遠位部分の外径と同心円状で、これを囲む内径を有する。可撓性誘導カテーテルはおおむね、カテーテル出口１７から針先端３３まで延びる。可撓性誘導カテーテル５５の近位端５７は、管状カテーテル出口１７に締まり嵌めした漏斗状ソケット５９を有する。可撓性誘導カテーテル５５は、遠位端で先細りになり、これによって、不当な不快感や危害を与えずに、針３１および可撓性誘導カテーテル５５を患者の静脈内に誘導することができる。
静脈穿刺の後、剛性針３１は、患者の静脈内に留置した可撓性誘導カテーテル５５から、剛性針３１を滑動除去する。静脈へのアクセスは、留置した可撓性誘導カテーテル５５によって保持される。ドラムカートリッジ２１内の長い可撓性カテーテル１１を、カテーテル出口１７に望遠鏡式に糸を通すように入れ、可撓性誘導カテーテル５５を通して患者の静脈内に前進させる。
ドラムカートリッジは、基部１５に固定されたスピンドル２３を含み、これによって基部に対してドラムを回転することができる。可撓性ドラムカテーテルの端部にある流体コネクタ１９にアクセスできるよう、ドラム２１は基部１５から選択的に取り外すことができる。このように、長いドラムカテーテル１１は、所望の長さのドラムカテーテル１１を患者の静脈に挿入した後、ディスペンサ１３から取り外し、流体接続することができる。
ドラムカテーテル１１は、ドラムカートリッジ２１内で螺旋状に巻かれている。スタイレット８１は、ドラムカテーテルを通って延びて、ドラムカテーテル１１のディスペンスに役立つよう、カテーテルをドラム壁に押し付ける。スタイレット８１とドラムカテーテル１１とは巻きが解ける傾向があるので、カテーテルがドラムの外周壁に押し付けられる。したがって、ドラム２１を基部１５に対して手動回転すると、巻いたドラムカテーテル１１は、ドラムカートリッジ２１から出て接線のカテーテル出口１７を通り、留置可撓性誘導カテーテル５５に入る。
しかし、上述したカテーテルスルーカテーテル（つまり可撓性誘導子）装置の一つの欠点は、剛性針３１を引き抜いた後に、ドラムカテーテル１１が静脈中に前進する前に、留置可撓性誘導カテーテルが静脈に対して開いているので、血液が漏出する可能性があることである。移行中の血液の漏出は患者に危険を与えないが、開いた留置誘導カテーテルからの漏出は、開いた誘導カテーテルから漏出した血液からの汚れを生じる。
したがって、カテーテルスルーカテーテルの挿入装置では、剛性針からドラムカテーテルへの移行（つまり変更）中に、留置可撓性誘導カテーテルからの血液の漏出を最小限に抑えることが望ましい。
ドラムカートリッジとカテーテル挿入装置とを、サイズがコンパクトで容易に使用できる一体組立ユニットにすることも望ましい。
発明の概要
本発明は、基部を有してカテーテル出口が基部から延びるカテーテルディスペンサを含むカテーテル挿入装置を提供する。ドラムカートリッジカテーテルレセプタクルが、回転関係で基部と係合する。基部の針入口開口部は、カテーテル出口と同心円状に整列する。通路が入口開口部から正接方向に延び、カテーテルドラムを通ってカテーテル出口に至る。静脈穿刺針は、鋭い針の先端がカテーテル出口より先に延びて患者の静脈に入るよう、通路を通って配置される。針の近位端にある針ハブが、入口開口部内に配置される。可撓性誘導カテーテル部材は、おおむね接触した状態で望遠鏡式に針の遠位部を囲む。誘導カテーテルは、カテーテル出口より先に延びて、鋭い先端に近い針上に位置する。このように、可撓性誘導カテーテルは、患者の静脈に挿入するために、針に作能的に関連する。
流体流一方弁が、流体を密封する状態で、可撓性誘導カテーテルの近位端と接続する。弁は通路の一部を形成し、したがって剛性針を通路から滑動除去したとき、流体流一方弁が静脈からの流体の逆流を最小限に抑える。カテーテルドラムを基部に対して回転すると、ドラムカテーテルは、糸を通すように流体流一方弁に挿入されてこれを通過し、留置可撓性誘導カテーテルを通過して患者の静脈に入る。
本発明のその他の多数の利点および特徴は、以下の本発明の説明、特許請求の範囲、および添付の図面から容易に明白になる。
【図面の簡単な説明】
第１図は、先行技術のカテーテルを通るカテーテルの挿入装置の部分断面図の側面図である。
第２図は、本発明によるカテーテルを通るカテーテルの挿入装置に流体弁を組み付けた側面図である。
第３図は、第２図のカテーテル挿入装置の分解側面図である。
第４図は、第３図のカテーテル挿入装置の流体弁の拡大平面図である。
第５図は、第４図の流体弁の平面断面図である。
第６図は、第４図の流体弁の縦断面図である。
第７図は、第４図の流体弁の正面図である。
好ましい実施形態の説明
本発明は様々な形で実施することができるが、本明細書および添付図面は、本発明の例として１つ以上の形態を開示する。本発明は、本明細書に記載の実施形態に限定されるものではなく、本発明の範囲は、添付の特許請求の範囲で指摘される。
本発明のカテーテル挿入装置は、第２図および第３図について最もよく理解されるように、カテーテルディスペンサ１２内に巻かれた長い可撓性カテーテル１０を含む。ディスペンサは、基部１４を含み、これは基部から正接方向に延びる管状カテーテル出口１６を有する。回転可能なカテーテルドラム２０は、基部に対して回転するために、スピンドル２２によって基部に接続される。可撓性カテーテル１０は、ドラム内で内部的に巻かれ、ドラム２０と機械的に係合し、したがって基部１４に対してドラム２０を回転すると、ドラムカテーテル１０が糸を通すようにカテーテル出口１６を通過する。
針入口開口部２４は、基部内にカテーテル出口と整列して配置される。通路２６が入口開口部２４からカテーテル出口１６まで、基部を通って延びる。通路２６は、カテーテルドラム２０に対して正接である。
遠位端３４に鋭い先端３２を有する細長い針３０が、同心円状に、通路を通って滑動状態で配置され、したがって鋭い針の先端がカテーテル出口１６の先まで延びる。針の先端は、斜角をつけることが好ましく、針は、静脈穿刺に適した上斜角位置に向けられる。
針ハブ部材３６は、針３０の近位端３８に固定され、使用者が容易に把持できて針入口開口部２４から針を滑動除去できる外形を有する。針ハブは、入口開口部２４に伴い小さい留め具４４と係合するため、外向きリップ４２のような係合可能な構造を含むよう構成される。基部上の弾性フランジ４６が、針と平行に延びる。短い留め具４４が、弾性フランジ４６から垂直に延び、針ハブ３６のリップ４２と係合する。
レバー４８が、弾性フランジに垂直に、留め具４４とは反対方向に延び、これによって弾性フランジ４６が湾曲して留め具を針ハブのリップから解除することができる。レバー４８は、使用者の指で容易に動かし、ハブ３６および針３０をカテーテルディスペンサ１２から容易に取り外すことができる。
針ハブ３６は、針の先端３２を上斜角部分で正しい方向に向けるよう、ディスペンサ１２の入口開口ブ２４にある開放部分と合う１個の前方向に延びる爪５０を含む。
薄いプラスチックカテーテルのような可撓性誘導カテーテル部材５４は、針３０の遠位部分３４を連続的かつ望遠鏡式に囲む。可撓性誘導カテーテル５４は、針上を前方向に延びるが、同心状に結合された針３０と可撓性誘導カテーテル５４とによって静脈穿刺が容易になるよう、鋭い針の先端３２上には延びていない。
針ハブ３６に静脈穿刺のフラッシュバックが観察された後、通路２６および入口開口部２４を通して可撓性誘導カテーテル５４から針３０を滑動除去する。可撓性誘導カテーテル５４は、可撓性の弾性材料で構成されているので、針３０を除去すると、静脈に損傷を与える危険が減少する。ドラム２０を右回転すると、カテーテル１０がカテーテル出口１６を通り抜け、可撓性誘導カテーテル５４に入り、したがって患者の静脈に入る。
可撓性誘導カテーテル５４の近位端５６はソケット５８を含み、軸方向の孔６０がソケットおよびソケットの近位端にあるソケット縁６２を通って縦方向に延びる。ソケット５８は、流密接続で、可撓性誘導カテーテル５４に固体され、流体流一方弁６４が、ソケットの軸方向孔６０に挿入されたソケット縁６２に突き当たる。流体流一方弁６４は、通常は閉鎖され、したがって針３０またはドラムカテーテル１０が孔の中にない限り、可撓性誘導カテーテル５４の孔を閉じる。
カテーテル出口１６は、基部１４に接続され、ドラム２０に対して正接する管状構造であることが好ましい。ソケット５８は、カテーテル出口１６の中空の空洞６６内に係合する。空洞６６は、ソケット５８と同様のサイズおよび形状を有し、したがってソケットをカテーテル出口１６内にしっかり保持する。
第３図で最もよく分かるように、カテーテル出口１６は、ソケット５８を中空の空洞６６内にしっかり係合するため、蝶番式の部分を含む。管状カテーテル出口部材１６の上部分７０および下部分７２は、弾性の可撓性材料を使用することにより、互いに蝶番でつながれた関係で、したがってカテーテル出口１６を必要に応じて選択的に開放することができる。
基部１４は、ドラム２０の外周と平行に湾曲した第１端部７８と、ドラム２０から通路２６へと正接方向に延びる第２端とを含む一体成形通路７６を含む。通路７６は、ドラムカテーテル１０をドラム２０から出して、流体流一方弁６４および可撓性誘導カテーテル５４にたやすく誘導するよう、ドラムカテーテルの前端を保持する。ドラム２０を基部１４から分離すると、ドラムカテーテル１０は開放した通路７６のために基部１４から取り出される。
第４図ないし第７図を参照すると最もよく分かるように、流体流一方弁６４は、おおむね円筒形で弾性プラスチック材料から成形される。弁をソケット５８に組み込むと、弁の外径８４はソケット５８の内径６０と締まり嵌めする。弁のリップ８６は、ソケットのリップ６２に突き当たり、弁を可撓性誘導カテーテル５４の近位端に配置する。ダックビル弁構造が好ましい。
流体流一方弁６４は、おおむね内径の内面９０を有する。弁内面９０の内径によって、針３０の外径を弁にぴったり嵌めることができる。同様に、弁の遠位端のスロット９４幅は、針３０の外径に対応するよう構成される。
弁６４は、内面上に半径方向内側に突き出した外周ワイパ９２も含む。ワイパは、ドラムカテーテルが流体流一方弁６４に挿入されて、可撓性誘導カニューレ５４を通る場合に、ドラムカテーテル１０の周囲を密封するような内径を有する。一体ワイパは弁６４と同じ弾性材料で作成されるので、より大きい針３０の外径が弁を通って挿入されると、環状ワイパ９２は屈曲して道をあける。
流体流一方弁の角度のついた面部分９６は、スロット９４で収束し、したがって針３０またはドラムカテーテル１０が可撓性誘導カテーテル内にない場合は、開放された留置可撓性誘導カテーテル５４のため静脈から流体負圧がかかり、面部分９６およびスロット９４を閉じる。
カテーテルディスペンサ１２の様々な構成要素は、ポリエチレン、ポリプロピレンまたは同等の医療等級プラスチックなどのプラスチックから成形することが好ましい。プラスチックは、医療等級または滅菌可能であることが好ましい。半透明または透明なプラスチックなら、ドラム２０内に残るカテーテル１０の全長を観察することができる。可撓性誘導カテーテル５４は、テフロン▲Ｒ▼などの可撓性プラスチック材料で作成することが好ましい。ドラムカテーテル１０は、ポリ塩化ビニルで構成することができ、あるいはポリウレタンが好ましい。針３０およびスライレット８０は、ステンレス鋼などの適切な剛性材料で製造する。流体流一方弁６４は、滅菌可能なシリコンエラストマ材料で成形する。
本発明による逆流弁付きカテーテル挿入装置は、下記のように使用する。針３０と可撓性誘導カテーテル５４との組合せを、静脈穿刺処置で患者の静脈に挿入する。次に、針３０をハブ３６で把握し、ディスペンサの通路から取り出して、可撓性誘導カテーテルを静脈中に留置しておく。可撓性誘導カテーテルを通って静脈から血液が逆流しても、可撓性誘導カテーテル５４内の流体流一方弁６４が、それを最小限に抑える。ドラム２０を右回りに回転すると、カテーテル１０がカテーテル出口１６、流体流一方弁６４および可撓性誘導カテーテル５４を通って前進し、患者の静脈に入る。可撓性ドラムカテーテル１０の先端が適切な位置になったら、ドラム２０を基部１４とは別に留める。次ぎに、カテーテル出口１６の蝶番式部分７０および７２を開いて、ソケット５８および誘導カテーテル５４を中空の空洞６６およびカテーテル出口１６から取り出す。これで、ドラムカテーテル１０を基部１４から完全に分離することができ、基部を廃棄する。次に、可撓性誘導カテーテル５４を静脈穿刺の場から引き抜き、巻がとけたドラムカテーテル１０の、たとえばハブ３６付近などの邪魔にならない位置に滑らせる。このように、最終的な配置構成では、ドラムカテーテル１０のみが静脈穿刺の場で患者に留置したままになる。さらに、軟質誘導カテーテル５４を通る静脈からの血液の漏出が、剛性針３０を抜いてからドラムカテーテル１０を挿入するまでの移行時に、最小限に抑えられる。
本発明の上記の詳細な説明及びその図面から、本発明の原理または新規の概念の真の精神および範囲から逸脱することなく、多くの変形および修正が実行できることが容易に明白である。
【図１】
0003736575.tif 000002
【図２】
0003736575.tif 000003
【図３】
0003736575.tif 000004
【図４】
0003736575.tif 000005
【図５】
0003736575.tif 000006
【図６】
0003736575.tif 000007
【図７】
0003736575.tif 000008